(57)【要約】      （修正有）【課題】装置構造が簡便で、装置の組み付け作業に手間を要しないようにして、扉体を自動的に閉止させるための施工作業を容易にする。【解決手段】装置本体６のアーム１２の長溝１５ａに扉体Ａのブラケット７のピン７ｂ１が係合する前では、アーム１２の突条部１２ｃにスプリング１４により付勢されたスライダ１３が当接し、この当接位置が同図のような位置にあるため、アーム１２は、矢印Ｐで示す時計回り方向のモーメントを受ける一方、アーム１２の短腕部１４がケース体８の溝辺ｃｄから反時計回り方向のモーメントを受けるため、同図のような所定閉成角に適応した角度位置に保持され、扉体Ａの矢印方向の閉成に従ってピン７ｂ１が長溝１５ａに沿って移動し始めると、スライダ１３の、上記突条部１２ｃに対する当接位置が変わるため、アーム１２は、矢印Ｐとは反対方向のモーメントを受けて回転し始めるとともにこの回転が緩衝機構により減速される。【選択図】図４
2006283460.tif 000002
【特許請求の範囲】
【請求項１】
家屋等の開口口を区画する枠体に対して回転可能に配設された扉体を閉止する扉体閉止装置であって、前記枠体又は扉体の一方に装置本体を取り付け、また、他方に前記扉体が閉成方向に回転を開始してから所定の閉成角に達した時に前記装置本体に係合する被ガイド部材を取り付け、前記装置本体には、その回転軸が回転可能に支持され、前記係合した被ガイド部材の、前記扉体の閉成に伴う移動を可能にするガイド部を備えたアームと、前記係合前は前記アームに、当該アームを前記被ガイド部材との係合が可能な前記所定閉成角に適応した角度位置に保持する付勢力を与える一方、前記係合後は前記アームに、当該アームを前記扉体の閉成方向に回転する付勢力を与えるスプリングと、当該スプリングの付勢力に対抗して前記回転速度を減速するように前記アームの回転軸に作用する緩衝機構とを備えてなることを特徴とする扉体閉止装置。
【請求項２】
前記装置本体に前記スプリングの付勢力を受けて摺動するスライダを設け、当該スライダを介して前記スプリングの付勢力を受ける前記アームは、当該アームに突設された突条部に対する前記スライダの作用位置を変えることにより、前記角度位置に保持される付勢力を受け、また、前記閉成方向に回転する付勢力を受けることを特徴とする請求項１に記載の扉体閉止装置。
【請求項３】
前記装置本体は、前記枠体を構成するうちの上枠体と縦枠体との両方に当接して取り付けられることを特徴とする請求項１又は２に記載の扉体閉止装置。
【請求項４】
前記アームが前記所定閉成角に適応した角度位置に保持されていないときに、当該アームの前記ガイド部への前記被ガイド部材の係合を助ける補助手段が設けられてなることを特徴とする請求項１〜３のいずれかに記載の扉体閉止装置。
【発明の詳細な説明】
【技術分野】
【０００１】
本発明は、家屋等に配設された扉体の開閉に際して、当該扉体を自動的に閉止させるための扉体閉止装置に関するものである。
【背景技術】
【０００２】
家屋等の開口口を区画する枠体に対して回転可能に配設された扉体を、当該扉体の閉止直前に減速して静かに閉止させるようにした扉体閉止装置は、従来から存在する（特許文献１）。
このような自動閉扉装置（扉体閉止装置）は、図８に示すように、扉にハウジング１００が固定される一方、上框に、下記ローラ１１２が係脱するガイド溝１０１ａを有するブラケット１０１が固定されるもので、このうちのハウジング１００には、作動油が充填されたシリンダ１０２が形成されており、このシリンダ１０２には、スプリング１０３により弾発付勢されるピストン１０４が内装され、このピストン１０４のヘッドに逆止弁１０５及び通油孔１０６が設けられ、このピストン１０４の略中間部に形成された長孔１０７の内壁面にラック１０８が設けられている。また、ハウジング１００には、ラック１０８と噛合するピニオン１０９を軸着したピニオン軸１１０が長孔１０７を貫通した状態で軸支され、ピニオン軸１１０の突出端にアーム１１１の基端が固定され、また、アーム１１１の先端にローラ１１２が軸着されている。ところで、ピニオン１０９は、１枚のピニオン歯１０９ａとその左右に一対の突部をそれぞれ突設するとともに、その他の部位を欠歯にして形成される一方、ラック１０８の最終歯１０８ａは一側に欠肉部を設けてあり、開扉時にピニオン１０９の突部とラック１０８の欠肉部とが摩擦係合してスプリング１０３が圧縮された状態でアーム１１１が所定回動角度に保持される。このような開扉状態から扉を閉止方向に回転していくと、扉側のローラ１１２がブラケット１０１のガイド溝１０１ａに係合するとともに、上記突部と上記欠肉部との摩擦係合が解除され、圧縮されていたスプリング１０３が伸張してピストン１０４が移動する。このピストン１０４の移動によりラック１０８と噛合するピニオン１０９が回転するのでアーム１１１が回転し、このアーム１１１のローラ１１２がガイド溝１０１ａに沿って転動して扉が閉止される。そして、このピストン１０４の移動に際し、シリンダ１０２内の作動油がピストン１０４の移動を減速するように作用するので、扉が緩やかに閉止されるようになる。
【０００３】
しかしながら、上述した自動閉扉装置は、ローラ１１２側のハウジング１００とこのローラ１１２が係脱するブラケット１０１とがそれぞれ別々に取り付けられる構造である点において取り付け作業の容易化が図られているが、当該自動閉扉装置自体の構造が煩雑で実用的でなく、したがって、その組み付け作業に手間を要し、かえって上述した取付作業の容易化が損なわれてしまうという問題がある。即ち、この装置においては、ピストン１０４の内壁面にラック１０８が設けられ、このラック１０８にピニオン１０９を噛合すべく当該ピニオン１０９が軸着されたピニオン軸１１０を、ピストン１０４を貫通して組み付けるようになっており、このような構造は実用的とは言えず、また、このような組み付けには手間を要すると推察されるため、結局のところ扉体を自動的に閉止させるための一連の施工作業の容易化が図れないという問題がある。ところで、この装置においては、ピニオン１０９に突部が設けられる一方、ラック１０８に欠肉部が設けられ、これら突部と欠肉部が摩擦係合するように組み付けられる構造となっているが、かかる係合の具体的な態様が開示されていないため、この種の装置に実用され得るものであるのか否か判断し難いところがある。
【特許文献１】実開昭５６−６５０７４号公報（第２〜６頁、第１図）
【発明の開示】
【発明が解決しようとする課題】
【０００４】
解決しようとする問題点は、装置構造が簡便で、装置の組み付け作業に手間を要しないようにすることにより、扉体を自動的に閉止させるための一連の施工作業が容易になるようにする点である。
【課題を解決するための手段】
【０００５】
本発明の請求項１に係る扉体閉止装置は、家屋等の開口口を区画する枠体に対して回転可能に配設された扉体を閉止する扉体閉止装置であり、前記枠体又は扉体の一方に装置本体を取り付け、また、他方に前記扉体が閉成方向に回転を開始してから所定の閉成角に達した時に前記装置本体に係合する被ガイド部材を取り付け、前記装置本体には、その回転軸が回転可能に支持され、前記係合した被ガイド部材の、前記扉体の閉成に伴う移動を可能にするガイド部を備えたアームと、前記係合前は前記アームに、当該アームを前記被ガイド部材との係合が可能な前記所定閉成角に適応した角度位置に保持するための付勢力を与える一方、前記係合後は前記アームに、当該アームを前記扉体の閉成方向に回転するための付勢力を与えるスプリングと、当該スプリングの付勢力に対抗して前記回転速度を減速するように前記アームの回転軸に作用する緩衝機構とを備えるもので、上記従来装置の摩擦係合に相当する保持力をアームとスプリング間で生じさせるようにしており、装置構造が簡便で、装置の組み付け作業に手間を要しないようにすることができる。結果として、本扉体閉止装置によれば、扉体を自動的に閉止させるための一連の施工作業が容易になる。
【０００６】
本発明の請求項２に係る扉体閉止装置は、前記装置本体に前記スプリングの付勢力を受けて摺動するスライダを設け、当該スライダを介して前記スプリングの付勢力を受ける前記アームは、当該アームに突設された突条部に対する前記スライダの作用位置を変えることにより、前記角度位置に保持される付勢力を受け、また、前記閉成方向に回転する付勢力を受けるようにしたもので、アームとスプリングにより保持力を生じさせるためのより具体的な構成であり、これにより、装置構造が簡便で、装置の組み付け作業に手間を要しないようにすることができる。
【０００７】
本発明の請求項３に係る扉体閉止装置は、前記装置本体を、前記枠体を構成するうちの上枠体と縦枠体との両方に当接して取り付けるようにしたもので、装置本体の取り付けを容易にできるようしたものである。
【０００８】
本発明の請求項４に係る扉体閉止装置は、前記アームが前記所定閉成角に適応した角度位置に保持されていないときに、当該アームの前記ガイド部への前記被ガイド部材の係合を助ける補助手段が設けられているもので、何らかの原因でアームが所定閉成角に適応した角度位置に保持されていないとき、例えば扉体を閉成すると補助手段が働いて、それ以後の扉体の閉成時には通常の状態、即ち、アームが所定閉成角に適応した角度位置に保持される状態になるようにして使い勝手を向上させるようにしたものである。
【発明の効果】
【０００９】
本発明の扉体閉止装置は、上記従来装置の摩擦係合に相当する保持力をアームとスプリング間で生じさせるようにしているため、装置構造が簡便で、装置の組み付け作業に手間を要しないようにすることができ、扉体を自動的に閉止させるための施工作業が容易になる。また、アームの回転速度を減速する緩衝機構が当該アームの回転軸に作用するようになっており、当該作用時間を長めに取ることができるため、効率的に緩衝効果を得ることができる点でも優れている。更に、何らかの原因でアームが所定閉成角に適応した角度位置に保持されていないとき、例えば扉体を閉成すると補助手段が働いて、それ以後の扉体の閉成時には通常の状態になるようになっており、使い勝手が向上している点でも優れている。
【発明を実施するための最良の形態】
【００１０】
本発明の第１の実施の形態に係る扉体閉止装置を図１〜５を参照して説明する。
本扉体閉止装置１は、図１，２に示すように、家屋等の開口口を区画する上枠体２及び縦枠体３，４のうちの縦枠体３にヒンジ５を介して回転可能に配設された扉体Ａを、当該扉体Ａの閉止直前に減速して静かに閉止させることができる装置で、本実施の形態では、上枠体２及び縦枠体３に取り付けられる装置本体６と、扉体Ａに取り付けられるブラケット（被ガイド部材）７とで構成されている。
このうちの装置本体６は、図２に示すように、上枠体２の、縦枠体３側の一方端と縦枠体３の、上枠体２側の一方端とで形成される隅部に、当該装置本体６のケース体８の上面（ケース体８の下面８ａと反対側の面）を上枠体２に当接させる一方、当該装置本体６のケース体８の後端面（ケース体８の前端面８ｂと反対側の面）を縦枠体３に当接させ、且つ、当該装置本体６のケース体８の上面に設けられた凹溝を上枠体２の裏面側に設けられた凸状の戸当り２ａに嵌合させるとともに、当該装置本体６のケース体８の後端面に設けられた凹溝を縦枠体３の裏面側に設けられた凸状の戸当り３ａに嵌合させて取り付けられる。このように、装置本体６の取り付けに際して、当該装置本体６のケース体８を上枠体２や縦枠体３に当接させ、枠体２，３の戸当り２ａ，３ａに嵌合させて取り付ければよいので、取り付けが容易にできるとともに、位置決めも容易にできる。尚、ケース体８の上面や後端面に凹溝を設けることなく、当該ケース体８の上面を上枠体２の裏面に、また、当該ケース体８の後端面を縦枠体３の裏面にそれぞれ当接させて取り付けるようにしてもよい（このとき、戸当り２ａ，３ａは、ケース体８が図２のように配設されるところは切断されている）。
一方、ブラケット７は、扉体Ａの裏面上方で、ヒンジ５が取着された側端寄りのところに取り付けられる。
【００１１】
上述のようにして取り付けられる装置本体６及びブラケット７を図３〜５を参照して説明する。尚、図３〜５においては、ケース体８の上面や後端面の凹溝は省略されている。
装置本体６は、外形形状が略直方体のケース体８と、このケース体８内の上面側に配設される緩衝機構９と、この緩衝機構９とは反対側のケース体８内の下面８ａ側に、当該緩衝機構９に対し軸棒（回転軸）１０を介して回動可能に配設されるアーム１２と、ケース体８内の後端面側で側面８ｃ寄りのところに配設されるスライダ１３と、このスライダ１３に当該スライダ１３をケース体８内に押込む方向への付勢力を付与する座板１４ａ付きのスプリング１４とから構成されている。
【００１２】
このうちケース体８は、上述のように外形形状が略直方体部材で、その上面側で前端面８ｂ寄りのところに緩衝部材９が埋め込まれる円筒状の溝８１が設けられ、この溝８１の、ケース体８の上面からの深さは、緩衝機構９がこの溝８１に配設されたとき、当該緩衝機構９の上面がケース体８の上面に略一致するほどの寸度である。また、ケース体８には、溝８１の反対側に位置する下面８ａ側に、下面８ａ方向から視て溝辺ａｂ，ｂｃ，ｃｄ，ｄｅ，ｅｆ，ｆｇ，ｇａにより区画される溝８２が設けられ（図４，５参照）、この溝８２の、下面８ａからの深さは、アーム１２がこの溝８２に配設されたとき、当該アーム１２の下面１２ａがケース体８の下面８ａに略一致するほどの寸度である。ところで、溝８２の溝辺ａｂ（前端面８ｂ面上の）及び溝辺ｇａ（側面８ｃ面上の）に沿うところは、当該溝８２の外部への開口口が形成されているところであり、また、溝辺ｄｅの溝壁は円弧状に形成され、アーム１２が回動したときに後述する当該アーム１２の短腕部１６との干渉を防止している。また、溝辺ｃｄの溝壁はアーム１２の短腕部１６が当接したときに当該アーム１２の回転ストッパの機能を果たす。更に、ケース体８には、溝８２の溝辺ｅｆに連通する一方、ケース体８の後端面を貫通する態様で挿通穴８３が設けられ、スライダ１３がこの挿通穴８３に摺動可能に配設される。
尚、８ｄは、固定ネジ（図示せず）が螺合するネジ孔であり、また、８ｅは、ケース体８を上枠体２に取り付けるためのビス１８（図４，５参照）の挿通孔である。また、８ｆは、溝８１の中心に設けられた挿通孔で、かかる挿通孔にはアーム１２のボス１１の上部が僅かに挿入され、アーム１２の回転に際しての、言わば当該アーム１２の軸受として機能する。
ところで、本実施の形態では、アーム１２の回転ストッパの機能を溝辺ｃｄの溝壁に持たせたが、溝辺ｆｇを延長して当該アーム１２と当接させることで回転ストッパの機能を持たせるようにしてもよい。
【００１３】
緩衝機構９は、その軸芯部が中空の平たい円筒状外枠９ａと、この外枠９ａの軸芯部に矩形状孔９ｂ１を有する可動リング９ｂとで構成され、可動リング９ｂは、外枠９ａに対し回動可能な所定のしまりばめで嵌合されている。尚、外枠９ａの上部外周には、緩衝機構９をケース体８に固着するための固定ネジの挿通孔が設けられたフランジ９ａ１が突設されている。
また、アーム１２は、アーム本体が細長の、長腕部１５と上述した短腕部１６で構成される矩形状部材で、このアーム本体の、長腕部１５と短腕部１６との接合部位に軸棒１０が嵌挿される矩形状孔１２ｂが設けられ、このアーム本体の上面（下記下面１２ａとは反対側の面）の、上記接合部位のところに、上記矩形状孔１２ｂに連通する矩形状孔が設けられた高さの短寸な円筒状ボス１１が突設され、また、このアーム本体の一方側面１２ｃの、上記接合部位のところに、略三角柱状の突条部１２ｃ１が突設されている。そして、長腕部１５には、その端部から上記接合部位近くまでのところに下面１２ａ側が開口された断面略逆Ｕ字状の長溝（ガイド部）１５ａが設けられ、この長溝１５ａの端部、即ち、後述するブラケット７のピン７ｂ１の係合口となるところは、当該長溝１５ａに沿う中心線に対し所定角度で切り取られており（図４，５参照も参照）、これにより、ピン７ｂ１の長溝１５ａへの係合がスムーズになる。
ところで、上述した軸棒１０は、短尺な四角柱状で、長手方向の長さがケース８の高さに略等しい小棒部材で、この部材の上端面及び下端面にビス１７，１９が螺合するネジ孔がそれぞれ設けられている。
【００１４】
スライダ１３は、略直方体形状の横部材１３ａと、この横部材１３ａの一方端に当該横部材１３ａに垂直に立設された略直方体形状の縦部材１３ｂとで構成され、この横部材１３ａの一方端側には、スプリング１４が配設される有底の溝孔１３ａ１が設けられており、この溝孔１３ａ１にスプリング１４が取り付けられたときに、このスライダ１３には、上述のようにケース体８内に押込まれる方向の付勢力が常に作用するようになる。そして、かかるスプリング１４の付勢力を受けて、スライダ１３の他方端１３ａ２は、アーム１２の突条部１２ｃ１に対し当接する状態となるが、後述するように、この他方端１３ａ２の、突条部１２ｃ１に対する作用位置を変えることにより、アーム１２は、ブラケット７との係合が可能な所定閉成角に適応した角度位置に保持される付勢力を受けるように、また、前記扉体の閉成方向に回転する付勢力を受けるようになる。
ところで、スプリング１４は、その一方端が薄厚な矩形状の座板１４ａの適宜位置に取り付けられており、この座板１４ａは、ケース体８の後端面にビスなどにより取り付けられる。
【００１５】
一方、ブラケット７は、板厚が薄い矩形状の取付板７ａと、この取付板７ａに対し垂直に結合され、且つ、この結合部位から先端に向うに従って狭くなる略三角形状をなす薄厚なフランジ７ｂとで構成され、フランジ７ｂの先端寄りの、当該フランジ７ｂに対し取付板７ａが立設される面側に、小円筒状のピン７ｂ１が立設されている。
尚、ブラケット７の取付板７ａには、当該ブラケット７を扉体Ａに取り付けるための複数のビス孔が適宜な位置に設けられている。ブラケット７の扉体Ａへの取り付けに際しては、ブラケット７は、装置本体６側のアーム１２の長溝１５ａに係合するピン７ｂ１が、図２に示すように、上方を向くようにして取り付けられる。
【００１６】
次に、本扉体閉止装置１の動作のしかたを図４，５を参照して説明する。
ここで、本扉体閉止装置１の動作のしかたを説明する前に、装置本体６自体の組み付けを図３を参照して説明する。最初に、ケース体８の溝８１に緩衝機構９を配設してから、固定ネジをフランジ９ａ１の挿通孔を通してケース体８のネジ孔８ｄに螺合し、緩衝機構９をケース体８に固定する。そして、緩衝機構９の可動リング９ｂの矩形状孔９ｂ１とアーム１２のボス１１の矩形状孔（及びアーム本体の矩形状孔１２ｂ）とを位置合わせしつつ、これら矩形状孔９ｂ１等に軸棒１０を嵌挿して当該軸棒１０のネジ孔にビス１７及びビス１９をそれぞれ螺着し、可動リング９ｂとアーム１２とが軸棒１０と共に一体で回動するようにする。尚、ビス１７，ビス１９が螺着されたとき、アーム１２のボス１１がケース体８の挿通孔８ｆに僅かに挿入され、緩衝機構９の上面がケース体８の上面に略一致するとともに、アーム１２の下面１２ａがケース体８の下面８ａに略一致する態様となる。そして、ケース体８の挿通穴８３にスライダ１３を配設してから当該スライダ１３の溝孔１３ａ１にスプリング１４を挿入した後、当該スプリング１４の座板１４ａをケース体８の後端面に取り付ける。尚、スプリング１４により付勢されたスライダ１３は、その他方端がアーム１２の突条部１２ｃ１に当接している。このようにして組み付けられた装置本体６は、上述のようにして上枠体２及び縦枠体３に取り付けられる。尚、ブラケット７もまた、上述のようにして扉体Ａに取り付けられることはもちろんである。
【００１７】
次に、本扉体閉止装置１の動作のしかたを説明する。
装置本体６のアーム１２の長溝１５ａにブラケット７のピン７ｂ１が係合する前においては、図４に示すように、アーム１２の突条部１２ｃ１には、スプリング１４により付勢されたスライダ１３の他方端１３ａ２が当接しており、かかる他方端１３ａ２の、アーム１２の突条部１２ｃ１に対する当接位置は、本実施の形態では、この他方端１３ａ２の側端面１３ａ２２（本実施の形態では、他方端１３ａ２の面取部）が突条部１２ｃ１の平面視略三角形状の一辺１２ｃ１１側に作用する位置にあるため、アーム１２は、同図中の矢印Ｐで示す時計回り方向のモーメントを受ける一方、アーム１２の短腕部１４がケース体８の溝辺ｃｄの溝壁に当接し、当該溝壁から反時計回り方向のモーメントを受ける。したがって、アーム１２は、同図に示すようなブラケット７のピン７ｂ１との係合が可能な所定閉成角に適応した角度位置に保持されることになる。
そして、扉体Ａを同図中の矢印方向に閉成して行くと、アーム１２の長溝１５ａにブラケット７のピン７ｂ１が係合するべく同図に示すような長溝１５ａの係合口にピン７ｂ１が達する状態となる。
【００１８】
長溝１５ａにピン７ｂ１が係合した後は、扉体Ａの、図４中の矢印方向の閉成に従ってピン７ｂ１が長溝１５ａに沿う態様で移動し始めると、アーム１２が同図中の矢印Ｐとは反対方向に回転し始めると同時に、スライダ１３の他方端１３ａ２の、アーム１２の突条部１２ｃ１に対する当接位置は、本実施の形態では、図５に示すように、この他方端１３ａ２の前端面１３ａ２１が突条部１２ｃ１の平面視略三角形状の一辺１２ｃ１２側に作用する位置に変わるため、アーム１２は、図４中の矢印Ｐとは反対方向のモーメントを受ける。かかるモーメントを受けてアーム１２が回転し始めるとともに扉体Ａが図４の矢印方向に自動的に回転して行き、図５のように閉止される。
しかるに、上述したアーム１２の回転に際しては、この回転速度がアーム１２の回転軸に作用する緩衝機構９により減速されるので、扉体Ａの閉成に際し当該扉体Ａの回転も減速されて緩やかになる。このため、扉体Ａが戸当り２ａ，３ａに勢いよく衝突して衝撃音などが発せられる不具合を生ずることもなく静粛に閉止される。
しかるに、扉体Ａの閉成後に、当該扉体Ａを図５中の矢印方向に開成して行くと、ブラケット７のピン７ｂ１がアーム１２の長溝１５ａに沿って移動する一方、アーム１２は、スプリング１４の付勢力に抗しつつ図５中の矢印方向に回転して行き、図４に示す状態になったところで当該アーム１２の長溝１５ａとブラケット７のピン７ｂ１との係合が外れるが、この外れた位置で上述のようにして所定閉成角に適応した角度位置に保持される。
【００１９】
ところで、本実施の形態では、緩衝機構として、緩衝機構９のような外枠９ａと可動リング９ｂとで構成されるものについて説明したが、例えば、外枠９ａ内に適宜な数の円板を層状に重ね合わせ、各円板間に粘性流体を充填したようなものであってもよい。
【００２０】
本発明の第２の実施の形態に係る扉体閉止装置を図６，７を参照して説明する。尚、図６，７において、図１〜５中の構成部材と同一のものには同一番号を付し、その説明は割愛する。
本扉体閉止装置２０は、上記扉体閉止装置１に補助手段２１を付加し、何らかの原因でアームが所定閉成角に適応した角度位置に保持されていないとき当該補助手段２１を働かせて通常の状態、即ち、アームが所定閉成角に適応した角度位置に保持される状態に復帰させるようにしたもので、本実施の形態では、アーム１２に代えてアーム２２を用い、また、ブラケット７に代えてブラケット（被ガイド部材）２３を用い、これらアーム２２とブラケット２３とにより補助手段２１を構成している。
【００２１】
このうちアーム２２がアーム１２と異なるところは、このアーム本体の一方側面１２ｃに傾斜面２２ａを形成した点である。即ち、このアーム本体の一方側面１２ｃ側の、当該アーム本体に設けられた長溝１５ａの閉塞端付近に、所定幅で所定角度をなす傾斜面２２ａが形成されるように、具体的に詳細に言えば、このアーム本体の側面１２ｃの、当該アーム本体の上面から僅か下方に突設して当該傾斜面２２ａの上端部が形成され、このアーム本体の下面１２ａの、長溝１５ａの溝縁に近接して当該傾斜面２２ａの下端部が形成されようにしたもので、これら上端部と下端部とを結ぶ平面が上記傾斜面２２ａを構成し、かかる傾斜面２２ａは、長溝１５ａの溝穴芯（＝ブラケット２３の下記可動ピン２４の軸芯）に対し所定角度をなすように形成されている（図７参照）。また、傾斜面２２ａの幅は、ブラケット２３の可動ピン２４の下記円筒部２４ａの外径長さより適宜に大きく形成されている。
一方、ブラケット２３は、上面２３ａ及び下面２３ｂを略三角形状とし、側面２３ｃを矩形形状とする略三角柱状の部材で、この部材の、側面２３ｃに対応する頂角側に位置する先端部には、図７に詳細に示すように、上面２３ａから下面２３ｂを貫く態様で深長の径大孔２３ｄ及びこの径大孔２３ｄに連通する浅長の径小孔２３ｅが設けられている。これら径大孔２３ｄ及び径小孔２３ｅには、径大な円筒部２４ａと、この円筒部２４ａに連設される鍔付きの径小な円筒部２４ｂとで構成される可動ピン２４、及びスプリング２５が緩挿される。そして、可動ピン２４は、円筒部２４ａの、円筒部２４ｂの連設側とは反対側の一部が上面２３ａから突出し、また、円筒部２４ｂの鍔付き側の一部が下面２３ｂから突出するようにスプリング２５により付勢されている。かかるスプリング２５の各端部は、円筒部２４ａの、円筒部２４ｂとの連設位置に形成される座面及び径大孔２３ｄの、径小孔２３ｅとの連通位置に形成される座面にそれぞれ配される。
尚、ブラケット２３の側面２３ｃには、当該ブラケット２３を扉体Ａに取り付けるための複数のビス孔が適宜な位置に設けられている。ブラケット２３の扉体Ａへの取り付けに際しては、ブラケット２３は、アーム２２の長溝１５ａに係合する可動ピン２４が、上記ブラケット７の場合と同様に、上方を向くようにして取り付けられる。
【００２２】
次に、本扉体閉止装置２０の、補助手段２１が働くときの動作のしかたを図７を参照して説明する。尚、本扉体閉止装置２０の通常の動作、即ち、所定閉成角に適応した角度位置に保持されたアーム２２の長溝１５ａに、扉体Ａの閉成に従ってブラケット２３の可動ピン２４が係合する動作については、上記扉体閉止装置１の動作のしかたと同様である。
本扉体閉止装置２０においては、何らかの原因でアーム２２が所定閉成角に適応した角度位置に保持されていないとき、即ち、アーム２２が、例えば図５に示すような上枠体２に平行な状態となってしまったときに、補助手段２１が働いて通常の動作に戻すことができる。
具体的には、アーム２２が上枠体２に平行な状態となってしまったときでも構わず扉体Ａを閉成して行くと、可動ピン２４の円筒部２４ａがアーム２２の傾斜面２２ａに当接する。そして、扉体Ａを閉止させると、可動ピン２４は、円筒部２４ａがスプリング２５の付勢力に抗しつつ上記傾斜面２２ａに沿って下降し、当該傾斜面２２ａの下端部を通り越したときにアーム２２の長溝１５ａに係合される。このようにして可動ピン２４が長溝１５ａに係合された以後は、本扉体閉止装置２０での通常の動作が可能になり、例えば扉体Ａを開成して行くと、ブラケット２３の可動ピン２４がアーム２２の長溝１５ａに沿って移動する一方、アーム２２は、スプリング１４の付勢力に抗して、例えば図５中の矢印方向に回転して行き、例えば図４に示す状態になったところで当該アーム２２の長溝１５ａとブラケット２３の可動ピン２４との係合が外れるが、この外れた位置で、アーム２２は上述した扉体閉止装置１の場合と同様にして所定閉成角に適応した角度位置に保持される。
尚、場合によっては、可動ピン２４の鍔に指を掛けてスプリング１４の付勢力に抗して引っ張り下げ、扉体Ａを閉成させた後、可動ピン２４に対する引っ張りを解除して可動ピン２４の円筒部２４ａをアーム２２の長溝１５ａに係合させるようにしてもよい。
【００２３】
ところで、従来の技術の欄で説明した自動閉扉装置のようなものに対しても使い勝手の向上を目的として上記補助手段２１を付加することができる。例えば、枠体又は扉体の一方に装置本体を取り付け、また、他方に扉体が閉成方向に回転を開始してから所定の閉成角に達した時に装置本体に係合する被ガイド部材を取り付け、この装置本体には、その回転軸が回転可能に支持され、係合した被ガイド部材の、扉体の閉成に伴う移動を可能にするガイド部を備えたアームと、このアームを扉体の閉成方向に回転するための付勢力を与えるスプリングと、アームを被ガイド部材との係合が可能な所定の閉成角に適応した角度位置に保持するための保持手段とを備えた、構成に係るものに上記補助手段２１を付加することができる。
【産業上の利用可能性】
【００２４】
本発明の扉体閉止装置は、スプリングを付勢することにより、アームを所定閉成角に適応した角度位置に保持する一方、アームを扉体の閉成方向に回転するようにしているため、従来装置と比べ装置構造が簡便で、装置の組み付け作業に手間を要しないようにすることができ、結果として、扉体を自動的に閉止させるための施工作業が容易になる点で、また、何らかの原因でアームが所定閉成角に適応した角度位置に保持されていないとき、例えば扉体を閉成すると補助手段が働いて、それ以後の扉体の閉成時には通常の状態になるようにしているため、使い勝手が向上している点で、この種の装置として広く一般的に利用されるものと言える。
【図面の簡単な説明】
【００２５】
【図１】本発明の第１の実施の形態に係る扉体閉止装置の取付状態を示す図である。
【図２】図１の取付状態にある扉体閉止装置を斜め下方から見た斜視図である。
【図３】図１の扉体閉止装置を斜め下方から見た分解斜視図である。
【図４】図１の扉体閉止装置の動作説明図である。
【図５】図１の扉体閉止装置の動作説明図である。
【図６】本発明の第２の実施の形態に係る扉体閉止装置を斜め下方から見た分解斜視図である。
【図７】図６の扉体閉止装置の動作説明図である。
【図８】従来の自動閉扉装置の構成図である。
【符号の説明】
【００２６】
１，２０              扉体閉止装置
２                    上枠体
３                    縦枠体
６                    装置本体
７，２３              ブラケット（被ガイド部材）
９                    緩衝機構
１０                  軸棒（回転軸）
１２，２２            アーム
１２ｃ１               突条部
１３                  スライダ
１４                  スプリング
１５ａ                長溝（ガイド部）
２１                  補助手段
Ａ                    扉体
【図１】
2006283460.tif 000003
【図２】
2006283460.tif 000004
【図３】
2006283460.tif 000005
【図４】
2006283460.tif 000006
【図５】
2006283460.tif 000007
【図６】
2006283460.tif 000008
【図７】
2006283460.tif 000009
【図８】
2006283460.tif 000010